(57)【要約】【課題】移動局の消費電力を削減する。【解決手段】この発明は、周期的にセルサーチすることによって、移動局周辺に位置するセルを検出する移動局１０を、この移動局１０に備えられた移動局制御部２０で制御する移動局制御方法において、前記移動局１０が移動状態の場合は、前記セルサーチを第１の周期で行うように制御する第１のセルサーチ周期制御ステップＳ１０と、前記移動局１０が静止状態の場合は、前記セルサーチを第１の周期よりも長い第２の周期で制御する第２のセルサーチ周期制御ステップＳ２０とを備える移動局制御方法である。【選択図】        図３
2004194226.tif 000002
【特許請求の範囲】
【請求項１】
周期的にセルサーチすることによって、移動局周辺に位置するセルを検出する移動局を、この移動局に備えられた移動局制御部で制御する移動局制御方法において、
前記移動局が移動状態の場合は、前記セルサーチを第１の周期で行うように制御する第１のセルサーチ周期制御ステップと、
前記移動局が静止状態の場合は、前記セルサーチを第１の周期よりも長い第２の周期で制御する第２のセルサーチ周期制御ステップとを備えることを特徴とする移動局制御方法。
【請求項２】
請求項１記載の移動局制御方法であって、
前記第１のセルサーチ周期制御ステップは、
前記移動局の静止状態から移動状態への切替を検出する静止移動切替検出ステップと、
この静止移動切替検出ステップが前記切替を検出した場合に、前記第１の周期の値をメモリ部に書き込む書込ステップとを備えることを特徴とする移動局制御方法。
【請求項３】
請求項２記載の移動局制御方法であって、
前記静止移動切替検出ステップは、
ＷＣＤＭＡ方式で用いられ、前記移動局が使用しているセルを他のセルへ移行すべきか否かを判定するセル移行判定によって、前記移動状態を検出することを特徴とする移動局制御方法。
【請求項４】
請求項１〜３のいずれか１項記載の移動局制御方法であって、
前記第２のセルサーチ周期制御ステップは、
前記移動局の移動状態から静止状態への切替を検出する移動静止切替検出ステップと、
この移動静止切替検出ステップが、前記切替を検出した場合に、前記第２の周期の値をメモリ部に書き込む書込ステップとを備えることを特徴とする移動局制御方法。
【請求項５】
請求項４記載の移動局制御方法であって、
前記移動静止切替検出ステップは、
前記移動局の移動状態が検出された場合に、前記第１の周期よりも長い時間をカウントし始めるカウント開始ステップと、
このカウント開始ステップの後に、前記移動局の移動状態が検出された場合に、前記カウントをリセットするリセットステップとを備えることを特徴とする移動局制御方法。
【請求項６】
請求項４記載の移動局制御方法であって、
前記移動静止切替検出ステップは、前記移動局を構成する被検出体に取りつけられ、この被検出体の移動状態から静止状態への切替時を検出するセンサが、前記移動局の移動状態から静止状態への切替時を検出するステップであることを特徴とする移動局制御方法。
【請求項７】
請求項６記載の移動局制御方法であって、
前記静止移動切替検出ステップは、
前記移動局を構成する被検出体に取りつけられ、この被検出体の静止状態から移動状態への切替時を検出するセンサが、前記移動局の静止状態から移動状態への切替時を検出するステップであることを特徴とする移動局制御方法。
【請求項８】
請求項１〜７のいずれか一項記載の移動局制御方法であって、
前記第１の周期および前記第２の周期は、
それぞれ最大周期と最小周期とを備え、
前記セルサーチの周期に、前記第１の周期または前記第２の周期が設定されている場合に、
前記移動局によって検出されたセルの受信レベルを監視する監視ステップと、
この監視結果から、所定の受信レベルよりも良好である良好セルが、所定数あるか否かを判定する判定ステップと、
この判定結果が、所定数に達していないことを示した場合に、前記セルサーチの周期に設定されている周期の最小周期が経過しているときは、前記セルサーチを実行させることを特徴とする移動局制御方法。
【請求項９】
周期的にセルサーチすることによって、移動局周辺に位置するセルを検出する移動局を、この移動局に備えられた移動局制御部で制御する移動局において、
この移動局が移動状態の場合は、前記セルサーチを第１の周期で行うよう制御すると共に、前記移動局が静止状態の場合は、前記セルサーチを第１の周期よりも長い第２の周期で行うように制御する移動局制御部を備えることを特徴とする移動局。
【発明の詳細な説明】
【０００１】
【発明の属する技術分野】
この発明は、セルサーチを行う移動局（例えば携帯電話機）の消費電力を抑制する移動局制御方法及び移動局に関するものである。
【０００２】
【従来の技術】
従来、以下の特許文献に示すような公知技術があった。
【０００３】
第１の公知技術（特許文献１）の目的は、移動局がセルサーチにかける消費電力や時間を小さく抑え、システム全体のコストを増大させることのないような、周辺セルサーチ制御を提供することである。
【０００４】
また、第１の公知技術がその目的を達成するためにとる手段は、
繰り返し周期が情報シンボル周期と同一であり、かつ各基地局で共通に使用される第１拡散符号群と、繰り返し周期が情報シンボル周期よりも長く基地局毎に異なるものが使用される第２拡散符号とを用いることにより２重に拡散して情報を伝送する直接拡散ＣＤＭＡ移動通信システムにおいて、
第２拡散符号および位相を記憶する第１テーブルと、
周辺基地局で使用している第２拡散符号を記憶する第２テーブルとを記憶し、
第２拡散符号および位相が未知であるとまり木チャネルをサーチし、第２拡散符号および位相が既知であるとまり木チャネルをサーチするものである。
【０００５】
また、第２の公知技術（特許文献２）の目的は、同期シンボルによるパスタイミングの検出時点から当該パスタイミングにおける基地局の判定までに要する時間を短縮し、これにより無線環境の変化によらず高性能のセルサーチを可能にすることである。
【０００６】
また、第２の公知技術がその目的を達成するためにとる手段は、
時装置の移動速度を検出し、この移動速度に応じて各サーチ窓の幅が変化するように１スロット期間の分割数を可変設定し、これらのサーチ窓ごとに同期シンボル拡散符号によるパスタイミングの検出処理、このパスタイミングにおける情報シンボル拡散符号の受信判定及びその最大ピークの検出処理を連続して実行するようにしたものである。
【０００７】
【特許文献１】
特開２００１−７８２４５号公報
【特許文献２】
特開２００１−３４６２３９号公報
【０００８】
【発明が解決しようとする課題】
しかしながら、従来の技術では、セルサーチが行われている周期を可変とすることはできない。したがって、移動局が移動中であると静止中であるとに関わらず、一定のセルサーチ周期でセルサーチが行われていた。そのため、新たにセルサーチを行う必要がない静止中の状態においても、不要に多くのセルサーチを行うことになるので、消費電力を不要に消費する事態を招いていた。
【０００９】
そこで、この発明は、移動局が静止中である場合に、セルサーチを行う回数を削減し、移動局の消費電力を削減することを目的とする。
【００１０】
【課題を解決するための手段】
この発明は、周期的にセルサーチすることによって、移動局周辺に位置するセルを検出する移動局を、この移動局に備えられた移動局制御部で制御する移動局制御方法において、
前記移動局が移動状態の場合は、前記セルサーチを第１の周期で行うように制御する第１のセルサーチ周期制御ステップと、
前記移動局が静止状態の場合は、前記セルサーチを第１の周期よりも長い第２の周期で行うように制御する第２のセルサーチ周期制御ステップとを備える移動局制御方法である。
【００１１】
また、周期的にセルサーチすることによって、移動局周辺に位置するセルを検出する移動局を、この移動局に備えられた移動局制御部で制御する移動局において、
前記移動局が移動状態の場合は、前記セルサーチを第１の周期で行うよう制御すると共に、前記移動局が静止状態の場合は、前記セルサーチを第１の周期よりも長い第２の周期で制御する移動局制御部を備える移動局である。
【００１２】
【発明の実施の形態】
実施の形態１．
この実施の形態は、ＷＣＤＭＡ方式を利用した移動局である。
図１は、この実施の形態１で用いる移動局の構成を概念的に表す図である。
図１に基づいてこの実施の形態１で用いる移動局の構成を説明する。
移動局１０は、この移動局１０を制御する移動局制御部２０を備えている。また、移動局制御部２０は、アンテナ３０を介して無線信号を送受信する信号送受信部４０を制御している。
【００１３】
図２は、移動局制御部２０の構成を概念的に表す機能ブロック図である。
図２に基づいて、移動局制御部２０の備える機能部の構成を説明する。
まず、各機能部の機能について説明する。
セルサーチ周期管理部２１は、移動局１０のセルサーチ周期を管理する機能を有している。また、セルサーチ周期管理部２１は、メモリ部２２を備え、このメモリ部２２に記憶されている値を用いてセルサーチ周期を管理する。
【００１４】
セルサーチ制御部２３は、移動局１０がセルサーチするように、移動局１０を制御する機能を有している。なお、移動局１０は、セルサーチしていない時と比べて、セルサーチしている時の方が、電力を多く消費する。
【００１５】
受信レベル監視部２５は、受信レベル監視部２５が把握しているセル（移動局１０の周辺に存在するセル）での受信レベルを定期的に監視する機能を備えている。また、監視のために、信号送受信部４０に対して、受信レベル測定を実行するよう指令する。
【００１６】
セル移行判定部２７は、移動局１０の使用するセルを、現在移動局１０の使用しているセルから、このセルと異なるセルへ移行させるべきか否かを判定する機能を有している。この判定は、通信規格３ＧＰＰＴＳ２５．３０４に示される Ｃｅｌｌ  Ｒｅｓｅｌｅｃｔｉｏｎ評価を行った結果、移行先とすべきセルがあるか無いか判定するものである。
【００１７】
移動中タイマ管理部２９は、この移動中タイマ管理部２９に、移動局１０の移動していることを示す信号が入力された時に、移動局１０の静止状態を検出するための時間（以降、「静止状態検出時間」という）の満了を目指してカウントを始める。
【００１８】
ここで、静止状態検出時間は、移動局１０の移動している間における、移動局１０のセルサーチ周期（以降、「第１の周期」という）よりも長い時間に設定する。また、第１の周期は、移動局１０の通話品質を維持できる周期とする。例えば、第１の周期を１５秒周期程度にする。
【００１９】
また、移動中タイマ管理部２９で、静止状態検出時間が満了した場合、移動中タイマ管理部２９は、その満了の旨を他の機能部に通知できる。そして、移動中タイマ管理部２９が、静止状態検出時間をカウントしている場合に、移動局１０の移動していることを認識したとき、それまでカウントした時間をリセットする機能を有している。
【００２０】
各機能部の接続関係を説明する。
セルサーチ周期管理部２１はメモリ部２２を備え、所定の処理をして信号を出力する。この出力信号はセルサーチ制御部２３に入力される。セルサーチ制御部２３は所定の処理を行い、信号送受信部４０または受信レベル監視部２５を制御する。
受信レベル監視部２５は信号送受信部４０を制御する。また、信号を出力する。この出力信号はセル移行判定部２７に入力される。セル移行判定部２７は所定の処理を行い、信号を出力する。この出力信号は、移動中タイマ管理部２９及びメモリ部２２に入力される。移動中タイマ管理部２９は、所定の処理を行い、メモリ部２２に向けて信号を出力する。
【００２１】
移動局１０のセルサーチ周期制御の動作について図３に基づいて説明する。
図３は、移動局１０のセルサーチ周期を制御する様子を表したフローチャート図である。
図３において、まず、移動局１０の静止している間における移動局１０のセルサーチ周期（以降、「第２の周期」という）で、移動局１０がセルサーチしていたとする（第２のセルサーチ周期ステップＳ２０）。なお、第２の周期は、第１の周期よりも長い周期に設定する。例えば、第２の周期を６０秒周期程度にする。
【００２２】
移動局１０が第２の周期でセルサーチしている場合に、第１の周期でセルサーチする必要が生じたとき、移動局制御部２０が、第１のセルサーチ周期制御ステップＳ１０を行い、移動局１０を制御する。この制御は、移動局１０のセルサーチ周期が第２の周期から第１の周期へ切り替わるような制御である。
【００２３】
移動局１０のセルサーチ周期が第１の周期と設定されている場合に、セルサーチ周期を変更する必要がないときは、セルサーチ周期に第１の周期を設定したままとする。一方、セルサーチ周期を変更する必要があるときは、移動局制御部２０が、第２のセルサーチ周期制御ステップＳ２０を行い、移動局１０を制御する。この制御は、移動局１０のセルサーチ周期を第１の周期から第２の周期に変更する制御である。
【００２４】
第１のセルサーチ周期制御ステップＳ１０について、図４に基づいて説明する。
第１のセルサーチ周期制御ステップＳ１０では、移動局１０が第２の周期でセルサーチしている場合、移動局１０が、移動局１０自身の移動状態を検出したとき（静止移動切替検出ステップＳ１１）に、この検出によって、メモリ部２２に、第１の周期が書き込まれる（書込ステップＳ１２）。
【００２５】
第２のセルサーチ周期制御ステップＳ２０について、図５に基づいて説明する。
第２のセルサーチ周期制御ステップＳ２０では、移動局１０が、移動局１０自身は移動状態から静止状態に切り替わったことを検出した場合に（移動静止状態検出ステップＳ２１）、メモリ部２２に、第２の周期が書きこまれる（書込ステップＳ２２）。
【００２６】
移動静止切替検出ステップＳ２１について、図６に基づいて説明する。
この移動静止切替検出ステップＳ２１では、移動局１０が、「移動局１０が、移動状態を１度検出してから、所定時間経過までに、移動局１０の移動状態を再度検出しなかった状態」を移動局１０の静止状態として検出する。
【００２７】
移動静止切替検出ステップＳ２１は、まず、移動局１０が、静止移動切替検出ステップＳ１１で移動局１０の移動状態を検出した時に、静止状態検出時間の満了を目指してカウントを始める（Ｓ２１１）。
【００２８】
このカウントは、移動局１０が、移動局１０自身の移動状態を検出した場合（Ｓ２１２）、例え静止状態検出時間満了前であっても、リセットされる（Ｓ２１３）。ここで、静止状態検出時間は、移動局１０が移動状態であるか否かを判定する周期（第１の周期）よりも長くなるよう（第１の周期が１５秒周期だとすれば、３秒以上）に設定しておく。したがって、移動局１０が移動している場合には、静止状態検出時間経過前に、その移動状態が検出され、カウントがリセットされるので、静止状態検出時間が満了することはない。
【００２９】
一方、移動局１０が、移動局１０自身の移動状態を検出しない場合（Ｓ２１２）、そのカウントはリセットされない。したがって、移動局１０が静止状態を継続している場合、静止状態検出時間が経過する。
【００３０】
以上のとおり、静止状態検出時間は、移動局１０が静止状態の場合、満了し、移動局１０が移動状態の場合、満了しない。したがって、この満了の有無を判定する（Ｓ２１４）ことによって、カウント状態を継続させるか終了させるかが定まる。
【００３１】
その判定結果が、満了が無いことを示した場合は、カウントを継続し、再びその満了を待受ける。一方、その判定結果が、満了が有ることを示した場合は、カウントは終了する。また、第２の周期の値が、メモリ部２２に書き込まれる（Ｓ２１５）。
【００３２】
以上の動作を、図７〜図１０のシーケンス図に基づいて具体的に説明する。これらのシーケンス図では、左端の軸に移動局１０が移動しているか（移動状態であるか）、静止しているか（静止状態であるか）が記載されている。また、この軸は、この軸の色が変更されない限り、移動状態または静止状態が継続していることを表す。
【００３３】
また、左端の軸に対応して、移動局制御部２０が備えるセルサーチ周期管理部２１、セルサーチ制御部２３、受信レベル監視部２５、セル移行判定部２７および移動局タイマ管理部２９並びに信号送受信部４０の動作が表されている。なお、図に表された破断線は、その線を挟んで上下にある部分は、時間が連続していないことを表す。
【００３４】
第１のセルサーチ周期制御ステップＳ１０を図７に基づいて説明する。
まず、移動局１０は静止している（移動局の状態が静止状態）。この状態では、メモリ部２２に第２の周期が記憶されており、移動局１０は、第２の周期でセルサーチしている。
【００３５】
その後、セルサーチ周期管理部２１で、セルサーチ周期（ここでは第２の周期）が満了する。この満了結果によって、セルサーチ制御を実行するように指令する信号がセルサーチ制御部２３に通知される。この指令を受けたセルサーチ制御部２３は、信号送受信部４０に対して、セルサーチを実行し、移動局１０の周辺に存在するセルを検出するよう指令を出す。
【００３６】
この指令を受け取った信号送受信部４０は、移動局１０の周辺に存在するセルを検出すると共に、検出されたセルサーチ実行結果をセルサーチ制御部２３に報告する。この報告をセルサーチ制御部２３が受け取ると、セルサーチ制御部２３は、この報告に基づく、検出されたセルを受信レベル監視部２５に知らせておく。受信レベル監視部２５は、次回、受信レベルの測定を信号送受信部４０に指令する時に、そのセルを把握した上で、受信レベル測定を実行するよう指令する。
【００３７】
なお、セルサーチ周期管理部２１がセルサーチ制御部２３に対してセルサーチ周期の満了を通知してから、セルサーチ制御部２３から受信レベル監視部２５に対して、検出したセルを報告するまでの一連の動作を、以降、「セルサーチ動作」という。
【００３８】
受信レベル監視部２５から信号送受信部４０への指令に基づき、信号送受信部４０は、移動局１０の周辺に存在するセルに対して受信レベルの測定を実行する。この測定結果は、受信レベル監視部２５へ通知されて、受信レベル監視部２５は、移動局１０の周辺に存在するセルの夫々の受信レベルを把握する。
【００３９】
この把握内容は、セル移行判定部２７に報告される。この報告を受け取ったセル移行判定部２７は、前述のとおり、移行先とすべきセルがあるか無いかを判定し、移動局１０の使用するセルを、移動局１０の現在使用しているセルから、このセルと異なるセルへ移行すべきか否かを判定（以降、「セル移行判定」という）する。
【００４０】
この判定結果が、移動局１０は、「セル移行すべき」であると判定した場合、この場合の移動局１０を移動しているものと取り扱うことにする。すなわち、セル移行判定するステップが、移動検出ステップとして取り扱われる。
【００４１】
移動局１０が移動している場合には、移動局１０の周辺に存在する夫々のセルでの受信レベルは移動に伴い変更される。一方、移動局１０が静止している場合には、移動局１０の周辺に存在する夫々のセルの受信レベルは、あまり大きく変動しない。したがって、このように取り扱うことができる。
【００４２】
この取り扱いに基づき、セル移行判定で「セル移行すべき」と判定された場合、メモリ部２２の値に第１の周期の値が書き込まれると共に、移動中タイマ管理部２９のタイマが、静止状態検出時間の満了を目指してカウントを開始する。
【００４３】
以上のようにして、セルサーチ周期管理部２１は、移動局１０が第２の周期でセルサーチを行っている場合であっても、移動局１０の移動状態を検出して、移動局１０が第１の周期でセルサーチするように移動局１０を制御できる。
【００４４】
移動局１０が移動している間の、移動局１０の動作を図８に基づいて説明する。
セルサーチ周期（この場合は第１の周期）が満了した場合、この満了によって、セルサーチ制御を実行するように指令する信号がセルサーチ制御部２３に通知される。この指令によってセルサーチ動作が行われ、以降、図７での動作と同様にして、セル移行判定が行われる。
【００４５】
この判定結果は、移動局１０が移動状態を維持する場合、静止移動セルサーチ制御ステップにおいて説明したようにして、「セル移行すべき」と判定される。このように判定された場合には、セルサーチ制御部２１のメモリ部２２に第１の周期の値が書き込まれると共に、移動中タイマ管理部２９のタイマにおいてカウントされている静止状態検出時間がリセットされる。
【００４６】
以上のようにして、セルサーチ周期管理部２１は、移動局１０が移動状態を続ける限り、セル移行判定部２７から「セル移行すべき」旨の判定がなされ、静止状態検出時間のカウントがリセットされ、静止状態検出時間は満了しない。また、メモリ部２２に第１の周期が書きこまれるので、移動局１０は、第１の周期でセルサーチを行う状態を維持できる。
【００４７】
第２のセルサーチ周期制御ステップＳ２０を図９に基づいて説明する。
図９では、移動局１０が移動状態から静止状態に切り替わる場合の移動局１０の動作を表している。
セルサーチ周期管理部２１は、セルサーチ周期（この場合は第１の周期）が満了した時に、その満了によって、セルサーチ制御を実行するように指令する信号がセルサーチ制御部２３に通知される。この通知によってセルサーチ動作が行われ、以降、静止移動セルサーチ制御ステップと同様にして、セル移行判定が行われる。
【００４８】
この判定時において、移動局１０が移動状態から静止状態に切り替えられていた場合について説明する。静止状態の場合、移動局１０を囲むセルの状態はあまり変動しないため、セル移行判定において、「セル移行すべき」と判定されることはあまりない。
【００４９】
この判定で、「セル移行すべき」と判定されなかった場合、セル移行判定部２７は、移動中タイマ管理部２９における静止状態検出時間のカウントをリセットさせない。したがって、静止状態が続く限り、そのカウントはほとんどリセットされない。そのため、静止状態検出時間は、移動局１０が静止状態を維持する限り、所定の時間で満了できる。
【００５０】
この満了によって、メモリ部２２に第１の周期よりも長い第２の周期が書き込まれる。したがって、移動局１０は、第２の周期でセルサーチを行うことができる。それゆえ、移動局１０は、以降、静止状態においてセルサーチする頻度が減少し、移動局１０が消費する電力を削減できる。
【００５１】
移動局１０が静止している間の、移動局１０の動作を図１０に基づいて説明する。
セルサーチ周期管理部２１は、セルサーチ周期（この場合は第２の周期）が満了した時に、その満了によって、セルサーチ制御を実行するように指令する信号がセルサーチ制御部２３に通知される。この通知によってセルサーチ動作が行われ、以降、静止移動セルサーチ制御ステップと同様にして、セル移行判定が行われる。
【００５２】
この判定は、移動局１０が静止状態である限り、「セル移行すべき」と判定されることはあまりない。したがって、この判定で「セル移行すべき」と判定されて、セルサーチ周期管理部のメモリ部２２に、第１の周期の値が書き込まれることはあまりない。
【００５３】
したがって、メモリ部２２に保持されている第２の周期は、そのまま維持され、以降も、第２の周期のセルサーチ周期が満了した時に、移動局１０はセルサーチする。また、セル移行判定部２７は、移動中タイマ管理部２９に対して信号を送出しない。したがって、移動中タイマ管理部２９の状態は変化せず、満了した状態（移動中タイマ管理部２９が動いていない状態）が維持される。
【００５４】
実施の形態１の効果を説明する。
この実施の形態１は、周期的にセルサーチすることによって、移動局周辺に位置するセルを検出する移動局１０を、この移動局１０に備えられた移動局制御部２０で制御する移動局制御方法において、移動局１０が移動状態の場合は、前記セルサーチを第１の周期で行うように制御する第１のセルサーチ周期制御ステップと、
移動局１０が静止状態の場合は、前記セルサーチを第１の周期よりも長い第２の周期で制御する第２のセルサーチ周期制御ステップとを備える。
【００５５】
したがって、セルサーチを頻繁に行う必要がある移動中はセルサーチを行う頻度を維持しながら、セルサーチを頻繁に行う必要のない静止中はセルサーチを行う頻度を削減し、移動局の消費電力を削減することが出来る。
【００５６】
また、第１のセルサーチ周期制御ステップＳ１０は、前記移動局１０の静止状態から移動状態への切替を検出する静止移動切替検出ステップＳ１１と、この静止移動切替検出ステップが前記切替を検出した場合に、前記第１の周期の値をメモリ部２２に書き込む書込ステップＳ１２とを備える。
【００５７】
したがって、移動局１０が静止状態から移動状態に切り替わった場合に、セルサーチ周期を第２の周期から第１の周期に切り替えることを実現できる。
【００５８】
また、静止移動切替検出ステップＳ１１は、
ＷＣＤＭＡ方式で用いられ、移動局１０が使用しているセルを他のセルへ移行すべきか否かを判定するセル移行判定によって、前記移動状態を検出する移動局制御方法である。
【００５９】
したがって、別途部品を追加せずとも、移動局１０が移動状態であるか否かを検出することができ、移動局１０が静止状態から移動状態に切り替わった場合に、セルサーチ周期を第２の周期から第１の周期に切り替えることを実現できる。
【００６０】
また、第２のセルサーチ周期制御ステップＳ２０は、前記移動局１０の移動状態から静止状態への切替を検出する移動静止切替検出ステップＳ２１と、この移動静止切替検出ステップＳ２１が、前記切替を検出した場合に、前記第２の周期の値をメモリ部２２に書き込む書込ステップＳ２２とを備える移動局制御方法である。
【００６１】
したがって、移動局１０が移動状態から静止状態に切り替わった場合に、セルサーチ周期を第１の周期から第２の周期に切り替えることを実現できる。
【００６２】
また、移動静止切替検出ステップＳ２１は、
移動局１０の移動状態が検出された場合に、前記第１の周期よりも長い時間をカウントし始めるカウント開始ステップＳ２１１と、
このカウント開始ステップＳ２１１の後に、前記移動局１０の移動状態が検出された場合（Ｓ２１２）に、前記カウントをリセットするリセットステップＳ２１３とを備える移動局制御方法である。
【００６３】
したがって、ＷＣＤＭＡ方式を利用し、移動局１０が使用しているセルを他のセルへ移行すべきか否かを判定するセル移行判定によって、前記移動状態を検出できる移動局制御方法においては、別途部品を追加せずとも、移動局１０が移動状態から静止状態へ切り替わったか否かを検出できる。そのため、移動局１０が移動状態から静止状態に切り替わった場合に、セルサーチ周期を第１の周期から第２の周期に切り替えることを実現できる。
【００６４】
また、周期的にセルサーチすることによって、移動局周辺に位置するセルを検出する移動局１０を、この移動局１０に備えられた移動局制御部２０で制御する移動局１０において、
この移動局１０が移動状態の場合は、前記セルサーチを第１の周期で行うよう制御すると共に、前記移動局が静止状態の場合は、前記セルサーチを第１の周期よりも長い第２の周期で行うように制御する移動局制御部２０を備える移動局１０である。
【００６５】
したがって、セルサーチを頻繁に行う必要がある移動中はセルサーチを行う頻度を維持しながら、セルサーチを頻繁に行う必要のない静止中はセルサーチを行う頻度を削減し、通話品質を維持しつつ、消費電力を削減した移動局を実現できる。
【００６６】
実施の形態２．
実施の形態２の移動局制御部は、実施の形態１の移動局制御部２０と異なる。
実施の形態２の移動局制御部５０の機能的な構成について、図１１に基づいて説明する。
メモリ部５２には、第１の周期Ｐ１として、最大周期Ｐ１ｍａｘと最小周期Ｐ１ｍｉｎとを保持し、第２の周期Ｐ２として、最大周期Ｐ２ｍａｘと最小周期Ｐ２ｍｉｎとを保持している点で実施の形態１と異なる。
【００６７】
また、受信レベル監視部５５が、把握している受信レベルを一定の周期で更新する度に、受信レベルを越える良好セルが所定数を越えるか否か判定する機能を有し、セルサーチ制御部５３に対し信号を出力する点で特徴を有する。
また、受信レベル監視部５５は、セルサーチ周期管理部５１に対し、１度セルサーチ周期が満了した時点から経過した時間を定期的に監視している。
なお、セル移行判定部５７および移動中タイマ管理部５９は、セル移行判定部２７および移動中タイマ管理部２９と同様のものである。
【００６８】
移動局の受信レベルが劣化している場合に、移動局をセルサーチするように制御する方法について図１２に基づいて説明する。
実施の形態２の移動局制御部５０では、受信レベル監視部５５が、移動局の受信レベルを定期的に監視している（Ｓ５１）。この監視の結果、受信レベルが所定の受信レベルよりも良好である良好セルが、所定数Ｎあるか否かを判定する（Ｓ５２）。
【００６９】
この判定結果が、所定数Ｎないことを示す場合、第１の周期でセルサーチしているときは、セルサーチ周期のカウントが、最小周期Ｐ１ｍｉｎを経過しているか否か判定する（Ｓ５３）。また、第２の周期でセルサーチしているときは、セルサーチ周期のカウントが、最小周期Ｐ２ｍｉｎが経過しているか否か判定する（Ｓ５３）。
【００７０】
これらの判定結果が、最小周期Ｐ１ｍｉｎまたはＰ２ｍｉｎのいずれか一方を経過していることを示した場合は、移動局が臨時にセルサーチするように、セルサーチ制御部５３が信号送受信部４０を制御する（Ｓ５４）。
【００７１】
実施の形態２の移動局の動作を図１３に基づいて説明する。
図１３は、図７〜１０と同様のシーケンス図である。また、図１３では、セルサーチ周期管理部５１で、最小周期が経過した後に、セルサーチ周期管理部５１と受信レベル監視部５５との間で信号の受け渡しが行われている。これは、受信レベル監視部５５がセルサーチ周期管理部５１を監視していることを表す。また、その監視を表す動作は、頻繁に行われているため、図１３上に複数表示しても良い。しかし、そのように表示することは、図を徒に煩雑にするため、特に最小周期が経過した後についてだけ記載している。
【００７２】
まず、セルサーチ周期管理部５１で、メモリ部５２に保持された周期（ここでは第１の周期の最大周期Ｐ１ｍａｘ）でセルサーチ周期が満了する。この満了によって、セルサーチ制御を実行するように指令する信号がセルサーチ制御部５３に通知される。以降、実施の形態１と同様の手順で、受信レベル監視部５５は、移動局の周辺に存在する夫々のセルでの受信レベルを把握する。
【００７３】
この時、実施の形態２では、良好セルが所定数に不足しているか否かを判定する。この判定結果を、受信レベル監視部５５は把握しておく。
【００７４】
ところで、この実施の形態２では、受信レベル監視部５５は、セルサーチ周期管理部５１を監視しているため、直前に最大周期が満了した時から経過した時間を把握している。
【００７５】
したがって、受信レベル監視部２５は、先の判定結果が、所定数に不足している場合、最小周期Ｐ１ｍｉｎが経過したときに、セルサーチ制御部２３に対し、セルサーチを実行するように指令を出す。
【００７６】
このように制御することで、移動局１０は、最大周期Ｐ１ｍａｘが満了する前であっても、受信レベルが劣化している場合は、最小周期Ｐ１ｍｉｎが経過したときに、セルサーチをすることができる。また、最小周期Ｐ１ｍｉｎを経過していることをセルサーチの条件としていることで、不必要な程頻繁にセルサーチすることを防ぎ、消費電力の増大も抑制している。
【００７７】
実施の形態２の効果を説明する。
この実施の形態２の移動局制御方法は、第１の周期Ｐ１および第２の周期Ｐ２は、それぞれ最大周期Ｐ１ｍａｘ、Ｐ２ｍａｘと最小周期Ｐ１ｍｉｎ、Ｐ２ｍｉｎとを備え、セルサーチの周期に、第１の周期Ｐ１または第２の周期Ｐ２が設定されている場合に、移動局によって検出されたセルの受信レベルを監視する監視ステップと、この監視結果から、所定の受信レベルよりも良好である良好セルが、所定数あるか否かを判定する判定ステップと、この判定結果が、所定数に達していないことを示した場合に、前記セルサーチの周期に設定されている周期の最小周期が経過しているときは、前記セルサーチを実行させる移動局制御方法である。
【００７８】
したがって、移動局は、最大周期Ｐ１ｍａｘが満了する前であっても、受信レベルが劣化している場合は、最小周期Ｐ１ｍｉｎが経過したときに、セルサーチをすることができる。
【００７９】
また、以上のように制御できることで、受信レベルが劣化している場合には、予め設定された周期によらず、セルサーチできるので、受信レベルが劣化した場合に、セル移行できる可能性が向上する。また、不必要な程頻繁にセルサーチすることを防ぎ、消費電力の増大も抑制している。したがって、より、通信品質の良好な、消費電力を抑制した移動局を実現できる。
【００８０】
実施の形態３．
実施の形態３は、実施の形態１、２で説明した静止移動切替検出ステップＳ１１と、異なる手段で、静止移動切替を検出することに特徴を有する。その異なる手段は、移動局を構成する被検出体に取り付けられ、この被検出体の静止状態から移動状態への切替を検出するセンサを利用する手段である。
【００８１】
また、実施の形態３は、実施の形態１、２で説明した移動静止切替検出ステップＳ２１と、異なる手段で、移動静止切替を検出することに特徴を有する。その異なる手段は、移動局を構成する被検出体に取り付けられ、この被検出体の移動状態から静止状態への切替を検出するセンサを利用する手段である。
実施の形態３の移動局の構成を図１４に基づいて説明する。
実施の形態３の移動局１０ａは、後述する機能を有する移動局制御部６０と、移動局１０ａを構成する被検出体に取り付けられ、この被検出体の静止状態から移動状態への切替または移動状態から静止状態への切替の両方を検出するセンサ７０を備える点に特徴を有する。
【００８２】
センサ７０と移動局制御部６０との構成、及び移動局制御部６０内部の各機能部の構成について、図１５に基づいて説明する。
移動局制御部６０では、セルサーチ周期管理部２１、メモリ部２２、セルサーチ制御部２３、受信レベル監視部２５、セル移行判定部２７の代わりに、セルサーチ周期管理部６１、メモリ部６２、セルサーチ制御部６３、受信レベル監視部６５、セル移行判定部６７とを備える。また、移動中タイマ管理部２９に相当するものは備えていない。
【００８３】
また、この実施の形態では、受信レベル監視部６５、セル移行判定部６７は、セルサーチ周期に影響を与えない構成にしている。また、センサ７０は、先述した切替を検出した時に信号を出力する。この出力によって、メモリ部６２は、保持されている周期と異なる周期が書き込まれる。
【００８４】
移動局１０ａの動作について図１６に基づいて説明する。
図１６は図７〜１０等と同様のシーケンス図である。
この動作説明では、受信レベル監視部６５、セル移行判定部６７の動作を省略して説明する。
【００８５】
セルサーチ周期管理部６１で、セルサーチ周期が満了すると、セルサーチ動作が行われる。また、センサ７０が、移動局１０ａの移動状態から静止状態への切替を検出した場合、センサ７０から出力される信号が、セルサーチ周期管理部６１に設けられたメモリ部６２に保持された値を書き換える。
【００８６】
この書換えは、移動局１０ａが移動状態から静止状態に切り替わる場合にあっては、第１の周期から第２の周期への書換えである。一方、移動局１０ａが静止状態から移動状態に切り替わる場合にあっては、第２の周期から第１の周期への書換えである。
【００８７】
実施の形態３の効果を説明する。
実施の形態３は、移動静止切替検出ステップＳ２１は、移動局１０ａを構成する被検出体に取りつけられ、この被検出体の移動状態から静止状態への切替時を検出するセンサ７０が、移動局１０ａの移動状態から静止状態への切替時を検出するステップである。
【００８８】
したがって、移動局１０ａが移動状態から静止状態に切り替わった場合に、セルサーチ周期を第１の周期から第２の周期に切り替えることを実現できる。
【００８９】
また、静止移動切替検出ステップＳ１１は、
移動局１０ａを構成する被検出体に取りつけられ、この被検出体の静止状態から移動状態への切替時を検出するセンサ７０が、移動局１０ａの静止状態から移動状態への切替時を検出するステップである。
【００９０】
したがって、移動局１０ａが静止状態から移動状態に切り替わった場合に、セルサーチ周期を第２の周期から第１の周期に切り替えることを実現できる。
【００９１】
【発明の効果】
この発明は、周期的にセルサーチすることによって、移動局周辺に位置するセルを検出する移動局を、この移動局に備えられた移動局制御部で制御する移動局制御方法において、前記移動局が移動状態の場合は、前記セルサーチを第１の周期で行うように制御する第１のセルサーチ周期制御ステップと、前記移動局が静止状態の場合は、前記セルサーチを第１の周期よりも長い第２の周期で制御する第２のセルサーチ周期制御ステップとを備える。
したがって、移動局の通話品質を維持したまま、セルサーチ回数を削減し、消費電力を削減した移動局制御方法を実現できる。
【００９２】
また、周期的にセルサーチすることによって、移動局周辺に位置するセルを検出する移動局を、この移動局に備えられた移動局制御部で制御する移動局において、
この移動局が移動状態の場合は、前記セルサーチを第１の周期で行うよう制御すると共に、前記移動局が静止状態の場合は、前記セルサーチを第１の周期よりも長い第２の周期で行うように制御する移動局制御部を備える。
【００９３】
したがって、セルサーチを頻繁に行う必要がある移動中はセルサーチを行う頻度を維持しながら、セルサーチを頻繁に行う必要のない静止中はセルサーチを行う頻度を削減し、通話品質を維持しつつ、消費電力を削減した移動局を実現できる。
【図面の簡単な説明】
【図１】この実施の形態１で用いる移動局の構成を概念的に表す図である。
【図２】移動局制御部２０の構成を概念的に表す機能ブロック図である。
【図３】移動局１０のセルサーチ周期を制御する様子を表したフローチャート図である。
【図４】第１のセルサーチ周期制御ステップＳ１０を説明するフローチャート図である。
【図５】第２のセルサーチ周期制御ステップＳ２０を説明するフローチャート図である。
【図６】移動静止切替検出ステップＳ２１を説明するフローチャート図である。
【図７】第１のセルサーチ周期制御ステップＳ１０を説明するシーケンス図である。
【図８】移動局１０が移動している間の、移動局１０の動作を表すシーケンス図である。
【図９】第２のセルサーチ周期制御ステップＳ２０を表すシーケンス図である。
【図１０】移動局１０が静止している間の、移動局１０の動作を表すシーケンス図である。
【図１１】実施の形態２の移動局制御部５０の構成を概念的に表す機能ブロック図である。
【図１２】実施の形態２の移動局制御方法を表すフローチャート図である。
【図１３】実施の形態２の移動局制御方法を表すシーケンス図である。
【図１４】実施の形態３の移動局の概念的な構成図である。
【図１５】センサ７０と移動局制御部６０との構成、及び移動局制御部６０内部の各機能部の構成を表す図である。
【図１６】移動局１０ａの動作を表すシーケンス図である。
【符号の説明】
１０  ：移動局                      １０ａ：移動局（検出体）
２０、５０、６０  ：移動局制御部
２２、５２、６２：メモリ部          ７０：センサ
Ｓ１０：第１のセルサーチ周期制御ステップ
Ｓ２０：第２のセルサーチ周期制御ステップ
Ｓ１１：静止移動切替検出ステップ    Ｓ２１：移動静止切替検出ステップ
Ｓ１２、Ｓ２２：書込ステップ        Ｓ２１１：カウント開始ステップ
Ｓ２１３：リセットステップ          Ｓ５１：監視ステップ
Ｓ５２：判定ステップ
Ｐ１ｍａｘ、Ｐ２ｍａｘ：最大周期    Ｐ１ｍｉｎ、Ｐ２ｍｉｎ：最小周期
【図１】
2004194226.tif 000003
【図２】
2004194226.tif 000004
【図３】
2004194226.tif 000005
【図４】
2004194226.tif 000006
【図５】
2004194226.tif 000007
【図６】
2004194226.tif 000008
【図７】
2004194226.tif 000009
【図８】
2004194226.tif 000010
【図９】
2004194226.tif 000011
【図１０】
2004194226.tif 000012
【図１１】
2004194226.tif 000013
【図１２】
2004194226.tif 000014
【図１３】
2004194226.tif 000015
【図１４】
2004194226.tif 000016
【図１５】
2004194226.tif 000017
【図１６】
2004194226.tif 000018